(57)【要約】【課題】再現性、正確性を有し、かつ保存安定性に優れた糖化ヘモグロビン量を比色定量するための測定方法を提供する。【解決手段】少なくともプロテアーゼが含有された前処理液（ａ）と少なくとも糖化アミノ酸オキシダーゼが担持された高分子基材からなる試験片（ｂ）とを用い、測定試料と前処理液（ａ）とを体積比率１：１〜１：１５で混合させる工程、および測定試料と前処理液（ａ）との混合液を、試験片（ｂ）に点着させる工程を含む、糖化ヘモグロビンの測定方法。【選択図】なし【特許請求の範囲】
【請求項１】
測定試料中のヘモグロビン量および／または糖化ヘモグロビン量を比色定量する糖化ヘモグロビンの測定方法であって、
少なくとも下記前処理液（ａ）と下記試験片（ｂ）とを用い、かつ少なくとも下記工程（i）から（iv）を経ることを特徴とする測定方法。
前処理液（ａ）：少なくともプロテアーゼが含有された水溶液
試験片（ｂ）：少なくとも糖化アミノ酸オキシダーゼが担持された高分子基材
工程（i）：測定試料と前処理液（ａ）とを体積比率１：１〜１：１５で混合させる工程
工程（ii）：測定試料と前処理液（ａ）との混合液を、試験片（ｂ）に点着させる工程
工程（iii）：反射光を用いて、試験片（ｂ）の反射率および／または吸光度を測定する工程
工程（iv）：得られた反射率および／または吸光度からヘモグロビン量、糖化ヘモグロビン量、糖化ヘモグロビン量のヘモグロビン量に対する割合からなる群より選ばれた１つ以上を算出する工程
【請求項２】
工程（i）が、測定試料と前処理液（ａ）とを体積比率１：１〜１：１０で混合させる工程であることを特徴とする請求項１に記載の測定方法。
【請求項３】
さらに、前処理液（ａ）と試験片（ｂ）との少なくとも一方に、ペルオキシダーゼおよび酸化還元系発色試薬がそれぞれ含有または担持されることを特徴とする請求項１または２に記載の測定方法。
【請求項４】
さらに、前処理液（ａ）と試験片（ｂ）との少なくとも一方に、界面活性剤が含有または担持されることを特徴とする請求項１から３のいずれかに記載の測定方法。
【請求項５】
プロテアーゼが、少なくともバチルス（Ｂａｃｉｌｌｕｓ）由来プロテアーゼ、アスペルギルス（Ａｓｐｅｒｇｉｌｌｕｓ）由来プロテアーゼ、ストレプトマイセス（Ｓｔｒｅｐｔｏｍｙｃｅｓ）由来プロテアーゼ、およびトリチラチウム（Ｔｒｉｔｉｒａｃｈｉｕｍ）由来プロテアーゼからなる群より選ばれた１種以上であることを特徴とする請求項１から４のいずれかに記載の測定方法。
【請求項６】
酸化還元系発色試薬が、極大吸収波長が６００〜８００ｎｍのロイコ型色素であることを特徴とする請求項１から５のいずれかに記載の測定方法。
【請求項７】
界面活性剤が、親水親油バランス（Ｈｙｄｒｏｐｈｉｌｅ  Ｌｉｐｏｐｈｉｌｅ  Ｂａｌａｎｃｅ：ＨＬＢ）が１０〜２０の非イオン性界面活性剤であることを特徴とする請求項１から６のいずれかに記載の測定方法。
【請求項８】
測定試料が全血検体であることを特徴とする請求項１から７のいずれかに記載の測定方法。
【請求項９】
請求項１から８のいずれかに記載の前処理液（ａ）と下記試験片（ｂ）とからなる測定キット。
【発明の詳細な説明】
【技術分野】
【０００１】
本発明は、診断の現場で正確、簡便かつ迅速に測定試料中の糖化ヘモグロビン量を比色定量するための測定方法、および測定キットに関する。
【背景技術】
【０００２】
糖尿病の診断、予防、および治療を行う上で、糖化タンパク質の測定は非常に重要である。糖化タンパク質は、生体内でグルコースと血中タンパク質のアミノ基（主に、末端アミノ酸のα−アミノ基、リジン残基のγ−アミノ基）とが非酵素的に反応して生成する。タンパク質の糖化の程度は血中グルコース濃度（以下、血糖値という。）に直接比例するため、糖化タンパク質の測定により、例えば糖化ヘモグロビンの場合は約２〜３カ月間、糖化アルブミンの場合は約２〜３週間の血糖コントロール状態を把握することができる。特に糖化ヘモグロビンの一種であるヘモグロビンＡ１ｃは、糖尿病の診断に際して最も重要であるとされている。
【０００３】
前記糖化タンパク質の測定法としては、例えば、高速液体クロマトグラフィー（ＨＰＬＣ）法、免疫法、および酵素法などが知られている。従来は、高速液体クロマトグラフィー（ＨＰＬＣ）法、および免疫法が大部分を占めていたが、近年では大量検体を迅速、大量、正確、安価に測定できることから酵素法も多用され始めている。
【０００４】
酵素法については、例えば、以下の工程を経て糖化タンパク質を比色定量する技術が知られている。（例えば、特許文献１〜４参照）
（１）測定試料中の赤血球を溶血させ、糖化ヘモグロビンを取り出す工程。
（２）前記糖化ヘモグロビンとプロテアーゼを反応させ、糖化ヘモグロビンの糖化されたβ鎖Ｎ末端から糖化アミノ酸および／または糖化ペプチドを切り出す工程。
（３）前記糖化アミノ酸および／または糖化ペプチドと糖化アミノ酸オキシダーゼを反応させ、過酸化水素を生成する工程。
（４）ペルオキシダーゼ存在下で、前記過酸化水素と酸化還元系発色試薬を反応させ、発色させる工程。
（５）前記発色から測定試料中の糖化ヘモグロビン量を比色定量する工程。
【０００５】
しかし、かかる従来技術は、測定試料を希釈し、液体状態の試薬を添加し、反応容器内で反応させ、反応液の吸光度を測定する方法であり、生化学自動分析装置を用いた方法が主流であるが、前記生化学自動分析装置は大型かつ高価である、取扱いには熟練した検査技師が必要である、採血から結果報告までの時間が長い、といった問題点があり、ＰＯＣＴ：ｐｏｉｎｔ  ｏｆ  ｃａｒｅ  ｔｅｓｔｉｎｇ（すなわち、臨床現場即時検査）への適用は困難であった。
【０００６】
一方、前記問題点を解消すべく、試薬を乾燥状態で基材に担持させ、そこに液体状態の測定試料を添加することで、測定試料中の水分を溶媒として反応を進行させる方法（いわゆる、ドライケミストリー）を利用した糖化タンパク質測定用試験片の発明がなされた。（例えば、特許文献５）かかる発明は、装置が小型で安価である、取扱いが簡便である、採血から結果報告までが短時間で可能である  という点では改良されたものの、生化学自動分析装置を用いた方法に比べ再現性、正確性に劣るという点が問題であった。また、実用に耐えうる保存安定性を得られないという点も問題であった。
【先行技術文献】
【特許文献】
【０００７】
【特許文献１】国際公開第２００２−００６５１９号
【特許文献２】特開２００４−２２２５７０号公報
【特許文献３】特開２００７−１８１４６６号公報
【特許文献４】特開２０１０−１４８５１５号公報
【特許文献５】特開２００４−３３３４５２号公報
【非特許文献】
【０００８】
【非特許文献１】Ｃｌｉｎｉｃａｌ  Ｃｈｅｍｉｓｔｒｙ  ４３：１２  ２３９０−２３９６（１９９７）
【発明の概要】
【発明が解決しようとする課題】
【０００９】
本発明は、かかる従来技術の課題を背景になされたものである。すなわち、本発明の目的は、診断の現場で正確、簡便かつ迅速に測定試料中の糖化ヘモグロビン量を比色定量するための測定方法、および測定キットを提供することにある。さらに詳しくは、生化学自動分析装置を用いた方法と同等の再現性、正確性を有し、かつ保存安定性に優れた糖化ヘモグロビン量を比色定量するための測定方法、および測定キットを提供することにある。
【課題を解決するための手段】
【００１０】
本発明者らはドライケミストリーを利用した糖化タンパク質測定用試験片の再現性、正確性低下の原因は、高分子基材に担持されたプロテアーゼの反応不足にあることを見出した。
また、測定試料が全血検体の場合は、ヘモグロビン由来のスペクトルと色素由来のスペクトルが重なるため、再現性、正確性が低下することを見出した。
さらに、プロテアーゼと糖化アミノ酸オキシダーゼがそれぞれ同一の前処理液または試験片に含有または担持されると、保存中にプロテアーゼによる糖化アミノ酸オキシダーゼの失活・分解が生じ、保存安定性が著しく低下することを見出した。
【００１１】
そこで、本発明者らは、前処理液にプロテアーゼを含有させ、試験片に糖化アミノ酸オキシダーゼを担持させた。また、測定試料を前記試験片に点着させる前に、測定試料と前記前処理液とを最適な混合比率で混合することとした。これにより、プロテアーゼの反応性が著しく向上し、かつヘモグロビン由来のスペクトルの影響も軽減するため、測定の再現性、正確性が向上することを見出し、本発明に至った。加えて、プロテアーゼと糖化アミノ酸オキシダーゼをそれぞれ異なる前処理液または試験片に含有または担持させることにより、糖化アミノ酸オキシダーゼの保存安定性を向上させることも同時に成功し、本発明を完成させた。
【００１２】
すなわち、本発明は、以下の構成からなる。
１．  測定試料中のヘモグロビン量および／または糖化ヘモグロビン量を比色定量する糖化ヘモグロビンの測定方法であって、
少なくとも下記前処理液（ａ）と下記試験片（ｂ）とを用い、かつ少なくとも下記工程（i）から（iv）を経ることを特徴とする測定方法。
前処理液（ａ）：少なくともプロテアーゼが含有された水溶液
試験片（ｂ）：少なくとも糖化アミノ酸オキシダーゼが担持された高分子基材
工程（i）：測定試料と前処理液（ａ）とを体積比率１：１〜１：１５で混合させる工程
工程（ii）：測定試料と前処理液（ａ）との混合液を、試験片（ｂ）に点着させる工程
工程（iii）：反射光を用いて、試験片（ｂ）の反射率および／または吸光度を測定する工程
工程（iv）：得られた反射率および／または吸光度から、ヘモグロビン量、糖化ヘモグロビン量、糖化ヘモグロビン量のヘモグロビン量に対する割合からなる群より選ばれた１つ以上を算出する工程
２．  工程（i）が、測定試料と前処理液（ａ）とを体積比率１：１〜１：１０で混合さ        せる工程であることを特徴とする１．の測定方法。
３．  さらに、前処理液（ａ）と試験片（ｂ）との少なくとも一方に、ペルオキシダーゼおよび酸化還元系発色試薬がそれぞれ含有または担持されることを特徴とする１．または２．の測定方法。
４．  さらに、前処理液（ａ）と試験片（ｂ）との少なくとも一方に、界面活性剤が含有または担持されることを特徴とする１．から３．のいずれかの測定方法。
５．  プロテアーゼが、少なくともバチルス（Ｂａｃｉｌｌｕｓ）由来プロテアーゼ、アスペルギルス（Ａｓｐｅｒｇｉｌｌｕｓ）由来プロテアーゼ、ストレプトマイセス（Ｓｔｒｅｐｔｏｍｙｃｅｓ）由来プロテアーゼ、およびトリチラチウム（Ｔｒｉｔｉｒａｃｈｉｕｍ）由来プロテアーゼからなる群より選ばれた１種以上であることを特徴とする１．から４．のいずれかの測定方法。
６．  酸化還元系発色試薬が、極大吸収波長が６００〜８００ｎｍのロイコ型色素であることを特徴とする１．から５．のいずれかの測定方法。
７．  界面活性剤が、親水親油バランス（Ｈｙｄｒｏｐｈｉｌｅ  Ｌｉｐｏｐｈｉｌｅ  Ｂａｌａｎｃｅ：ＨＬＢ）が１０〜２０の非イオン性界面活性剤であることを特徴とする１．から６．のいずれかの測定方法。
８．  測定試料が全血検体であることを特徴とする１．から７．のいずれかの測定方法。
９．  １．から８．のいずれかの前処理液（ａ）と下記試験片（ｂ）とからなる測定キット。
【発明の効果】
【００１３】
本発明により、診断の現場で正確、簡便かつ迅速に測定試料中の糖化ヘモグロビン量を比色定量するための測定方法、および測定キットを提供することができる。さらに詳しくは、生化学自動分析装置を用いた方法と同等の再現性、正確性を有し、かつ保存安定性に優れた、糖化ヘモグロビン量を比色定量するための測定方法、および測定キットを提供することができる。
【図面の簡単な説明】
【００１４】
【図１】実施例において使用した、試験片を上下から挟んで固定するための板状の治具である。本治具には、２つの穿孔を設けている。
【発明を実施するための形態】
【００１５】
以下、本発明を詳述する。
（測定対象物）
本発明における測定対象物は、糖化ヘモグロビンであり、糖尿病診断への応用の観点から、ヘモグロビンのβ鎖Ｎ末端が糖化されたヘモグロビンＡ１ｃ（以下、ＨｂＡ１ｃともいうことがある。）が好ましい。
【００１６】
（測定試料）
本発明における測定試料としては、全血、血球、血漿、血清、髄液、汗、尿、涙液、唾液、皮膚、粘膜、毛髪等の生体試料（すなわち生体から採取された試料）や、飲料水、調味料等の食品類が挙げられる。また、生体試料はヒト由来に限らず、イヌ、ネコ、ウシ等の哺乳類動物由来の生体試料も対象である。これら中でも、糖尿病診断への応用の観点から、全血または血球が好ましく、ＰＯＣＴの観点から、前処理として血球／血漿または血清分離を行わない全血がより好ましい。
【００１７】
本発明における測定試料の量は、特に限定されないが、例えば０．１〜２０μＬが好ましく、０．１〜１０μＬがより好ましく、０．１〜５μＬがさらに好ましい。測定試料量が０．１μＬより少ないと、測定試料と前処理液との混合体積比率が不正確になり、測定値の誤差が大きくなる恐れがある。さらには、発色斑が生じる恐れもある。一方、測定試料量が２０μＬより多いと、例えば測定試料が血液の場合、患者の負担が大きくなるため好ましくない。
【００１８】
（測定原理）
本発明における糖化ヘモグロビンの測定原理は酵素反応を、測定試料と前処理液との混合液中の水分によって行う（いわゆる、ドライケミストリー）ことで試験片を呈色させ、その呈色の程度を反射光測定によって検知する方法（いわゆる、酵素比色法）によって行なわれる。前記測定原理を用いることで、装置の小型・軽量・低価格化が可能となる。また、正確、簡便かつ迅速な測定が可能となる。
以下に赤血球中の糖化ヘモグロビン量を測定する場合の反応について説明するが、本発明を何ら限定するものではない。
（１）測定試料中の赤血球を溶血させ、糖化ヘモグロビンを取り出す工程。
（２）前記糖化ヘモグロビンとプロテアーゼを反応させ、糖化ヘモグロビンの糖化されたβ鎖Ｎ末端から糖化アミノ酸および／または糖化ペプチドを切り出す工程。
（３）前記糖化アミノ酸および／または糖化ペプチドと糖化アミノ酸オキシダーゼを反応させ、過酸化水素を生成する工程。
（４）ペルオキシダーゼ存在下で、前記過酸化水素と酸化還元系発色試薬を反応させ、発色させる工程。
（５）前記発色から測定試料中の糖化ヘモグロビン量を比色定量する工程。
【００１９】
（前処理液）
本発明における前処理液とは、例えば測定試料が血球または全血検体の場合は、測定試料中の赤血球を溶血させ、糖化ヘモグロビンを取り出し、糖化ヘモグロビンの糖化されたβ鎖Ｎ末端から糖化アミノ酸および／または糖化ペプチドを切り出すために、測定試料と混合する液体を意味する。測定試料を試験片に点着させる前に、測定試料と前処理液とを混合することで、プロテアーゼを十分反応させるとともに、測定試料の希釈によりヘモグロビン由来のスペクトルの影響を軽減することができる。
【００２０】
本発明における測定試料と前処理液との混合体積比率は、１：１〜１：１５であることが必要であり、１：１〜１：１０であることが好ましい。混合体積比率が、１：１５より大きいと、測定試料中の糖化ヘモグロビン濃度が低くなり、すなわち色素の発色強度も低くなるため、検出が困難になる恐れがある。一方、混合体積比率が、１：１より小さいと、測定試料が十分希釈されず、ヘモグロビン由来のスペクトルの影響で、測定値に誤差が生じる恐れがある。なお、マイクロピペット、スポイト、キャピラリー等を用いて採取した測定試料を、所定量の前処理液へ添加することで、所定の体積比率で混合することが可能である。
【００２１】
（試験片）
本発明の試験片は、１以上の高分子基材（以下、層ともいうことがある。）からなる。
前記試験片の層数は、実施形態に合わせて変化し得るが、１〜５層が好ましく、１〜４層がより好ましく、１〜３層がさらに好ましい。なお、層数には、本発明に必要な試薬が担持された高分子基材に加え、血液を展開するための展開層や透明支持層なども含む。層数が５層より多いと、最上層から最下層まで展開するのに必要な測定試料量が多くなるため、好ましくない。
【００２２】
前記試験片は、任意の手順を用いて作製することができる。典型的には、複数の層を別個に、一種以上の試薬溶液に浸漬し、乾燥する慣用の手順を用いることにより作製し、次いで最終的な試験片に組み立てることができる。 
【００２３】
（高分子基材）
本発明の試験片を構成する高分子基材としては、本発明に必要な試薬を必要量担持でき、かつ測定試料を水平方向および垂直方向に適切に展開できれば、いかなる形態、組成のものを用いてもよい。以下に高分子基材の形態、組成の具体例を示すが、本発明を何ら限定するものではない。
【００２４】
（形態）
前記高分子基材の形態としては、ろ紙、繊維構造体、多孔質膜（メンブレンフィルター）、フィルム等の自立可能なものや、高分子ゲル等の自立不可能なものが挙げられる。なお、高分子ゲル等の自立不可能なものを用いる際は、ろ紙、繊維構造体、多孔質膜（メンブレンフィルター）、フィルム等の自立可能なものを支持体として設けるのが好ましい。
【００２５】
（組成）
前記高分子基材の組成としては、ポリエステル樹脂であるポリエチレンテレフタレート（ＰＥＴ）、ポリブチレンテレフタレート（ＰＢＴ）、ポリエチレンナフタレート（ＰＥＮ）、ポリブチレンナフタレート（ＰＢＮ）等、オレフィン樹脂であるポリエチレン（ＰＥ）、ポリプロピレン（ＰＰ）、ポリブテン等、ビニル樹脂であるポリ塩化ビニル（ＰＶＣ）、ポリ塩化ビニリデン、ポリ酢酸ビニル等、アクリル樹脂、アクリレート樹脂、フッ素樹脂であるポリテトラフルオロエチレン（ＰＴＦＥ）、ポリビニリデンフルオライド（ＰＶＤＦ）等、ポリカーボネート樹脂、ポリエーテル樹脂であるポリオキシメチレン（ＰＯＭ）、ポリフェニレンオキシド（ＰＰＯ）、ポリエーテルケトン（ＰＥＫ）、ポリエーテルエーテルケトン（ＰＥＥＫ）、ポリフェニレンスルフィド（ＰＰＳ）、ポリスルホン（ＰＳＵ）、ポリエーテルスルホン（ＰＥＳ）、ポリエーテルイミド（ＰＥＩ）等、ポリアミド樹脂であるナイロン、アラミド等、セルロース類であるセルロースアセテート、ニトロセルロース、再生セルロース等が挙げられる。
【００２６】
前記高分子基材の形状は、特に限定されないが、例えば正方形、長方形、円形、楕円形等の薄板状が挙げられる。
前記高分子基材の面積は、装置の小型・軽量・低価格化の観点から小さければ小さいほどよいが、例えば１〜１０００ｍｍ２が好ましく、２〜５００ｍｍ２がより好ましく、５〜２００ｍｍ２がさらに好ましい。
前記高分子基材の（１層の）厚みは、測定試料の展開性、および酵素（プロテアーゼ、糖化アミノ酸オキシダーゼ、ペルオキシダーゼ）反応性の観点から、例えば１０〜２０００μｍが好ましく、２０〜１０００μｍがより好ましく、５０〜５００μｍがさらに好ましい。
【００２７】
（構成）
本発明は、前処理液と試験片とからなる。前処理液としては、少なくともプロテアーゼが含有された水溶液であり、試験片としては、少なくとも糖化アミノ酸オキシダーゼが担持された高分子基材である。プロテアーゼを前処理液に含有させず試験片に担持させると、プロテアーゼ反応が不十分となり、再現性、正確性が低下する恐れがある。
また、プロテアーゼと糖化アミノ酸オキシダーゼがそれぞれ異なる前処理液または試験片に含有または担持されることが必要である。プロテアーゼと糖化アミノ酸オキシダーゼがそれぞれ同一の前処理液または試験片に含有または担持されると、プロテアーゼによる糖化アミノ酸オキシダーゼの失活・分解が生じる恐れがある。以下に本発明の具体例を示すが、本発明を何ら限定するものではない。
【００２８】
本発明は前処理液として少なくともプロテアーゼが含有された水溶液、試験片として少なくとも糖化アミノ酸オキシダーゼが担持された高分子基材である以下の構成が挙げられる。
１．『前処理液：プロテアーゼ、ペルオキシダーゼ、試験片：糖化アミノ酸オキシダーゼ、酸化還元系発色試薬』
２．『前処理液：プロテアーゼ、酸化還元系発色試薬、試験片：糖化アミノ酸オキシダーゼ、ペルオキシダーゼ』
３．『前処理液：プロテアーゼ、試験片：糖化アミノ酸オキシダーゼ、ペルオキシダーゼ、酸化還元系発色試薬』
４．『前処理液：プロテアーゼ、ペルオキシダーゼ、酸化還元系発色試薬、試験片：糖化アミノ酸オキシダーゼ』
【００２９】
これらの中でも、さらに溶液状態で不安定な（すなわち、自己発色を生じる恐れのある）酸化還元系発色試薬を前処理液中に含有しない以下の構成が好ましい。
１．『前処理液：プロテアーゼ、ペルオキシダーゼ、試験片：糖化アミノ酸オキシダーゼ、酸化還元系発色試薬』
３．『前処理液：プロテアーゼ、試験片：糖化アミノ酸オキシダーゼ、ペルオキシダーゼ、酸化還元系発色試薬』
【００３０】
前記前処理液と前記試験片との少なくとも一方に、さらに界面活性剤が含有または担持されるが好ましい。
【００３１】
（検出）
反応の検出には、発色した試験片に対して光（入射光）をあて、その反射光を検出することが最も簡便であるが、これ以外の方法を用いても良い。光源としては、特に限定されないが、例えばＵＶランプ、キセノンランプ、クリプトンランプ、水銀ランプ、重水素ランプ、タングステンランプ、ハロゲンランプ、発光ダイオード（ＬＥＤ）、レーザー等が挙げられる。これらの中でも、光波長の制御の容易さ、および装置の小型・軽量・低価格化の観点から、発光ダイオード（ＬＥＤ）が好ましい。前記入射光の角度（入射角）は、特に限定されず、任意の角度を用いることができる。一方、反射光の検出は、特に限定されないが、検出面に対して垂直が好ましい。なお、検出には、フォトダイオードや積分球等を用いれば簡便に行う事ができる。 
【００３２】
（プロテアーゼ）
本発明に用いるプロテアーゼとしては、糖化ヘモグロビンの糖化されたβ鎖Ｎ末端に作用して糖化アミノ酸および／または糖化ペプチドを切り出すものであれば、いかなる種類のプロテアーゼを用いてもよく、例えば動物、植物、微生物由来のプロテアーゼ等が挙げられる。以下にプロテアーゼの具体例を示すが、本発明を何ら限定するものではない。
【００３３】
（動物由来プロテアーゼ）
動物由来のプロテアーゼとしては、ファクターＸａ（ｆａｃｔｏｒＸａ）、プラスミン（ｐｌａｓｍｉｎ）、スロンビン（ｔｈｒｏｍｂｉｎ）、ペプシン（ｐｅｐｓｉｎ）、ロイシンアミノペプチダーゼ（ｌｅｕｃｉｎａｍｉｎｏｐｅｐｔｉｄａｓｅ）、パンクレアチン（ｐａｎｃｒｅａｔｉｎ）、エラスターゼ（ｅｌａｓｔａｓｅ）、トリプシン（ｔｒｙｐｓｉｎ）、キモトリプシンＡ（ｃｈｙｍｏｔｒｙｐｓｉｎＡ）、アミノペプチダーゼＭ（ａｍｉｎｏｐｅｐｔｉｄａｓｅＭ）、カルボキシペプチダーゼＡ（ｃａｒｂｏｘｙｐｅｐｔｉｄａｓｅＡ）、カルボキシペプチダーゼＢ（ｃａｒｂｏｘｙｐｅｐｔｉｄａｓｅＢ）、カルパイン（ｃａｌｐａｉｎ）、カテプシンＢ（ｃａｔｈｅｐｓｉｎＢ）、カテプシンＣ（ｃａｔｈｅｐｓｉｎＣ）、カテプシンＤ（ｃａｔｈｅｐｓｉｎＤ）、エンドプロテイナーゼＡｒｇ−Ｃ（ｅｎｄｏｐｒｏｔｅｉｎａｓｅＡｒｇ−Ｃ）等が挙げられる。 
【００３４】
（植物由来プロテアーゼ）
植物由来のプロテアーゼとしては、カルボキシペプチダーゼＷ（ｃａｒｂｏｘｙｐｅｐｔｉｄａｓｅＷ）、カリクレイン（ｋａｌｌｉｋｒｅｉｎ）、フィシン（ｆｉｃｉｎ）、パパイン（ｐａｐａｉｎ）、キモパパイン（ｃｈｉｍｏｐａｐａｉｎ）、ブロメライン（ｂｒｏｍｅｌａｉｎ）等が挙げられる。
【００３５】
（微生物由来プロテアーゼ）
微生物由来のプロテアーゼとしては、ズブチリシン（ｓｕｂｔｉｌｉｓｉｎ）、サーモリシン（ｔｈｅｒｍｏｌｙｓｉｎ）、ディスパーゼ（ｄｉｓｐａｓｅ）、プロテイナーゼＮ（ｐｒｏｔｅｉｎａｓｅＮ）等に代表されるバチルス（Ｂａｃｉｌｌｕｓ）由来プロテアーゼ、ＩＰ酵素等に代表されるアスペルギルス（Ａｓｐｅｒｇｉｌｌｕｓ）由来プロテアーゼ、プロナーゼ（ｐｒｏｎａｓｅ）等に代表されるストレプトマイセス（Ｓｔｒｅｐｔｏｍｙｃｅｓ）由来プロテアーゼ、プロテイナーゼＫ（ｐｒｏｔｅｉｎａｓｅＫ）等に代表されるトリチラチウム（Ｔｒｉｔｉｒａｃｈｉｕｍ）由来プロテアーゼ、ペプチダーゼＲ（ｐｅｐｔｉｄａｓｅＲ）等に代表されるリゾバス（Ｒｈｉｚｏｐｕｓ）由来プロテアーゼ、カルボキシペプチダーゼＰ、（ｃａｒｂｏｘｙｐｅｐｔｉｄａｓｅＰ）、ＰＤ酵素等に代表されるペニシリウム（Ｐｅｎｉｃｉｌｌｉｕｍ）由来プロテアーゼ、エンドプロテイナーゼＧｌｕ−Ｃ（ｅｎｄｏｐｒｏｔｅｉｎａｓｅＧｌｕ−Ｃ）等に代表されるスタフィロコッカス（Ｓｔａｐｈｙｌｏｃｏｃｃｕｓ）由来プロテアーゼ、クロストリパイン（ｃｌｏｓｔｒｉｐａｉｎ）等に代表されるクロストリジウム（Ｃｌｏｓｔｒｉｄｉｕｍ）由来プロテアーゼ、エンドプロテイナーゼＬｙｓ−Ｃ（ｅｎｄｏｐｒｏｔｅｉｎａｓｅＬｙｓ−Ｃ）等に代表されるリソバクター（Ｌｙｓｏｂａｃｔｅｒ）由来プロテアーゼ、メタロエンドペプチダーゼ（ｍｅｔａｌｌｏｅｎｄｏｐｅｐｕｔｉｄａｓｅ）等に代表されるグリフォラ（Ｇｒｉｆｏｌａ）由来プロテアーゼ、カルボキシペプチダーゼＹ（ｃａｒｂｏｘｙｐｅｐｔｉｄａｓｅＹ）、プロテイナーゼＡ（ｐｒｏｔｅｉｎａｓｅＡ）等に代表される酵母（Ｙｅａｓｔ）由来プロテアーゼ、アミノペプチダーゼＴ（ａｍｉｎｏｐｅｐｔｉｄａｓｅＴ）等に代表されるサーマス（Ｔｈｅｒｍｕｓ）由来プロテアーゼ、エンドプロテイナーゼＡｓｐ−Ｎ（ｅｎｄｏｐｒｏｔｅｉｎａｓｅＡｓｐ−Ｎ）等に代表されるシュードモナス（Ｐｓｅｕｄｏｍｏｎｕｓ）由来プロテアーゼ、リジルエンドペプチダーゼ（ｌｙｓｙｌｅｎｄｏｐｅｐｕｔｉｄａｓｅ）、アクロモペプチダーゼ（ａｃｈｒｏｍｏｐｅｐｕｔｉｄａｓｅ）等に代表されるアクロモバクター（Ａｃｈｒｏｍｏｂａｃｔｅｒ）由来プロテアーゼ等が挙げられる
【００３６】
これらの中でも、安定性、反応性（ヘモグロビンの切断速度）、入手の容易性、価格等の理由から、微生物由来のプロテアーゼが好ましく、バチルス（Ｂａｃｉｌｌｕｓ）由来プロテアーゼ、アスペルギルス（Ａｓｐｅｒｇｉｌｌｕｓ）由来プロテアーゼ、ストレプトマイセス（Ｓｔｒｅｐｔｏｍｙｃｅｓ）由来プロテアーゼ、およびトリチラチウム（Ｔｒｉｔｉｒａｃｈｉｕｍ）由来プロテアーゼからなる群より選ばれた１種以上であることがより好ましい。市販品としては、バチルス（Ｂａｃｉｌｌｕｓ）由来プロテアーゼのトヨチームＮＥＰ（東洋紡績社製）、Ｔｙｐｅ−Ｘ（シグマ社製）、Ｔｙｐｅ−ＸＸＩＶ（シグマ社製）、サーモリシン（大和化成社製）、サモアーゼＰＣ１０（大和化成社製）、アスペルギルス（Ａｓｐｅｒｇｉｌｌｕｓ）由来プロテアーゼのＴｙｐｅ−ＸＩＩＩ（シグマ社製）、Ｔｙｐｅ−ＸＸＩＩＩ（シグマ社製）、ストレプトマイセス（Ｓｔｒｅｐｔｏｍｙｃｅｓ）由来プロテアーゼのＴｙｐｅ−ＸＩＶ、トリチラチウム（Ｔｒｉｔｉｒａｃｈｉｕｍ）由来プロテアーゼのプロテイナーゼＫ（ロシュ社製）等が好適に用いられる。
【００３７】
これらの中でも、ヘモグロビンＡ１ｃ測定の観点から、バチルス（Ｂａｃｉｌｌｕｓ）由来プロテアーゼのトヨチームＮＥＰ（東洋紡績社製）、Ｔｙｐｅ−Ｘ（シグマ社製）、Ｔｙｐｅ−ＸＸＩＶ（シグマ社製）、サーモリシン（大和化成社製）、サモアーゼＰＣ１０（大和化成社製）、ストレプトマイセス（Ｓｔｒｅｐｔｏｍｙｃｅｓ）由来プロテアーゼのＴｙｐｅ−ＸＩＶがより好適に用いられる。
【００３８】
前記プロテアーゼは、目的とする活性が発現すれば精製物であっても粗精製物であってもよい。また、遺伝子操作により作られたものでもよく、化学修飾の有無も問わない。さらに、前記プロテアーゼは単独で用いても、二種以上を組み合わせて用いてもよい。
【００３９】
前記プロテアーゼの濃度は、特に限定されないが、１〜１０００００Ｕ／ｍＬであることが好ましく１０〜１００００Ｕ／ｍＬがより好ましい。プロテアーゼ濃度が１Ｕ／ｍＬより少ないと、反応性の低下により測定時間が長くなるため好ましくない。一方、プロテアーゼ濃度が１０００００Ｕ／ｍＬより多いと、バッククラウンドの上昇や、高価格化の恐れがある。
【００４０】
前記プロテアーゼの反応を行う際のｐＨは、無調整でもよいが、使用するプロテアーゼの至適ｐＨとなるよう適当なｐＨ調整剤、例えば下記の緩衝剤によって調整するのが好ましい。
【００４１】
（糖化アミノ酸オキシダーゼ）
本発明に用いる糖化アミノ酸オキシダーゼ（以下、ＦＡＯＤともいうことがある。）は、公知文献では「フルクトシルアミンオキシダーゼ」「フルクトシルアミノ酸オキシダーゼ」「フルクトシルペプチドオキシダーゼ」「フルクトシルアミン酸化酵素」「フルクトシルアミノ酸酸化酵素」「フルクトシルペプチド酸化酵素」「糖化アミンオキシダーゼ」「糖化アミノ酸オキシダーゼ」「糖化ペプチドオキシダーゼ」「糖化アミン酸化酵素」「糖化アミノ酸酸化酵素」「糖化ペプチド酸化酵素」「アマドリアーゼ」「ケトアミンオキシダーゼ」「ケトアミン酸化酵素」等、種々の名称で呼ばれている。
【００４２】
本発明に用いる糖化アミノ酸オキシダーゼとしては、糖化アミノ酸および／または糖化ペプチドに特異的に作用し、過酸化水素を生成する酵素であれば、いかなる種類の酵素を用いてもよい。以下に糖化アミノ酸オキシダーゼの具体例を示すが、本発明を何ら限定するものではない。
【００４３】
糖化アミノ酸オキシダーゼとしては、ギベレラ（Ｇｉｂｂｅｒｅｌｌａ）由来酵素、アスペルギルス（Ａｓｐｅｒｇｉｌｌｕｓ）由来酵素、ペニシリウム（Ｐｅｎｉｃｉｌｌｉｕｍ）由来酵素、フサリウム（Ｆｕｓａｒｉｕｍ）由来酵素、コリネバクテリウム（Ｃｏｒｙｎｅｂａｃｔｅｒｉｕｍ）由来酵素、コニオカエタ（Ｃｏｎｉｏｃｈａｅｔａ）由来酵素、ユウペニシリウム（Ｅｕｐｅｎｉｃｉｌｌｉｕｍ）由来酵素、アカエトミエラ（Ａｃｈａｅｔｏｍｉｅｌｌａ）由来酵素、カエトミウム（Ｃｈａｅｔｏｍｉｕｍ）由来酵素、大腸菌由来酵素、酵母属デバリオマイゼス（Ｄｅｂａｒｙｏｍｙｃｅｓ）由来酵素、カーブラリア（Ｃｕｒｖｕｌａｒｉａ）由来酵素、ネオコスモスポラ（Ｎｅｏｃｏｓｍｏｓｐｏｒａ）由来酵素、クリプトコッカス（Ｃｒｙｐｔｏｃｏｃｃｕｓ）由来酵素、ファエオスフェリア（Ｐｈａｅｏｓｐｈａｅｒｉａ）由来酵素、カンジダ（Ｃａｎｄｉｄａ）由来酵素、アクレモニウム（Ａｃｒｅｍｏｎｉｕｍ）由来酵素等が挙げられる。
【００４４】
これらの中でも、安定性、反応性（糖化アミノ酸および／または糖化ペプチドの酸化速度）、入手の容易性、価格等の理由から、コニオカエタ（Ｃｏｎｉｏｃｈａｅｔａ）由来酵素、ユウペニシリウム（Ｅｕｐｅｎｉｃｉｌｌｉｕｍ）由来酵素、カーブラリア（Ｃｕｒｖｕｌａｒｉａ）由来酵素、ネオコスモスポラ（Ｎｅｏｃｏｓｍｏｓｐｏｒａ）由来酵素、アスペルギルス（Ａｓｐｅｒｇｉｌｌｕｓ）由来酵素、クリプトコッカス（Ｃｒｙｐｔｏｃｏｃｃｕｓ）由来酵素、ファエオスフェリア（Ｐｈａｅｏｓｐｈａｅｒｉａ）由来酵素からなる群より選ばれた１種以上であることが好ましく、コニオカエタ（Ｃｏｎｉｏｃｈａｅｔａ）由来酵素、アスペルギルス（Ａｓｐｅｒｇｉｌｌｕｓ）由来酵素、クリプトコッカス（Ｃｒｙｐｔｏｃｏｃｃｕｓ）由来酵素、ファエオスフェリア（Ｐｈａｅｏｓｐｈａｅｒｉａ）由来酵素からなる群より選ばれた１種以上であることがより好ましい。
【００４５】
これらの中でも、ヘモグロビンＡ１ｃ測定の観点から、コニオカエタ（Ｃｏｎｉｏｃｈａｅｔａ）由来酵素、ファエオスフェリア（Ｐｈａｅｏｓｐｈａｅｒｉａ）由来酵素からなる群より選ばれた１種以上であることがさらに好ましい。
【００４６】
前記糖化アミノ酸オキシダーゼは、目的とする活性が発現すれば精製物であっても粗精製物であってもよい。また、遺伝子操作により作られたものでもよく、化学修飾の有無も問わない。さらに、前記糖化アミノ酸オキシダーゼは単独で用いても、二種以上を組み合わせて用いてもよい。
【００４７】
前記糖化アミノ酸オキシダーゼの濃度は、特に限定されないが、０．０１〜１０００Ｕ／ｃｍ２であることが好ましく、０．１〜１００Ｕ／ｃｍ２がより好ましい。糖化アミノ酸オキシダーゼ濃度が０．０１Ｕ／ｃｍ２より少ないと、反応性の低下により測定時間が長くなるため好ましくない。一方、糖化アミノ酸オキシダーゼ濃度が１０００Ｕ／ｃｍ２より多いと、バッククラウンドの上昇や、高価格化の恐れがある。
【００４８】
前記糖化アミノ酸オキシダーゼの反応を行う際のｐＨは、無調整でもよいが、使用する糖化アミノ酸オキシダーゼの至適ｐＨとなるよう適当なｐＨ調整剤、例えば下記の緩衝剤によって調整するのが好ましい。
【００４９】
（ペルオキシダーゼ）
本発明に用いるペルオキシダーゼとしては、過酸化水素と酸化還元系発色試薬との反応を触媒する酵素であれば、いかなる種類の酵素を用いてもよく、例えば植物由来、細菌由来、担子菌由来のペルオキシダーゼが挙げられる。これらの中でも、純度、入手の容易性、価格等の理由から、西洋ワサビ、イネ、大豆由来のペルオキシダーゼが好ましく、西洋ワサビ由来のペルオキシダーゼがより好ましい。市販品としては、ＰＥＯ−１３１（東洋紡績社製）、ＰＥＯ−３０１（東洋紡績社製）、ＰＥＯ−３０２（東洋紡績社製）等が好適に用いられる。
【００５０】
前記ペルオキシダーゼの濃度は、特に限定されないが、０．０１〜１０００Ｕ／ｃｍ２または０．１〜１００００Ｕ／ｍＬであることが好ましく、０．１〜１００Ｕ／ｃｍ２または１〜１０００Ｕ／ｍＬがより好ましい。ペルオキシダーゼ濃度が０．０１Ｕ／ｃｍ２または０．１Ｕ／ｍＬより少ないと、反応性の低下により測定時間が長くなるため好ましくない。一方、ペルオキシダーゼ濃度が１０００Ｕ／ｃｍ２または１００００Ｕ／ｍＬより多いと、バッククラウンドの上昇や、高価格化の恐れがある。
【００５１】
前記ペルオキシダーゼの反応を行う際のｐＨは、無調整でもよいが、使用するペルオキシダーゼの至適ｐＨとなるよう適当なｐＨ調整剤、例えば下記の緩衝剤によって調整するのが好ましい。
【００５２】
（酸化還元系発色試薬）
本発明に用いる酸化還元系発色試薬としては、過酸化水素と反応して呈色するものであれば、いかなる種類の色素を用いてもよく、例えば水素供与体とカップラー、ロイコ体等が挙げられる。なお、水素供与体とカップラーを用いた代表例は、水素供与体とカップラーとをペルオキシダーゼの存在下に過酸化水素によって酸化縮合させて色素を形成させるトリンダー（Ｔｒｉｎｄｅｒ）法である。
以下に酸化還元系発色試薬の具体例を示すが、本発明を何ら限定するものではない。
【００５３】
（水素供与体）
水素供与体としては、フェノール、フェノール誘導体、アニリン誘導体、ナフトール、ナフトール誘導体、ナフチルアミン、ナフチルアミン誘導体等が挙げられる。具体的には、Ｎ−エチル−Ｎ−（３−スルホプロピル）アニリン（ＡＬＰＳ）、Ｎ−エチル−Ｎ−（３−スルホプロピル）−３−メチルアニリン（ＴＯＰＳ）、Ｎ−エチル−Ｎ−（３−スルホプロピル）−３−メトキシアニリン（ＡＤＰＳ）、Ｎ−エチル−Ｎ−（３−スルホプロピル）−３，５−ジメチルアニリン、Ｎ−エチル−Ｎ−（３−スルホプロピル）−３，５−ジメトキシアニリン、Ｎ−エチル−Ｎ−（２−ヒドロキシ−３−スルホプロピル）アニリン（ＡＬＯＳ）、Ｎ−エチル−Ｎ−（２−ヒドロキシ−３−スルホプロピル）−３−メトキシアニリン（ＴＯＯＳ）、Ｎ−エチル−Ｎ−（２−ヒドロキシ−３−スルホプロピル）−３，５−ジメチルアニリン（ＭＡＯＳ）、Ｎ−エチル−Ｎ−（２−ヒドロキシ−３−スルホプロピル）−３，５−ジメトキシアニリン（ＤＡＯＳ）、Ｎ−エチル−Ｎ−（３−メチルフェニル）−Ｎ’−アセチルエチレンジアミン、Ｎ−エチル−Ｎ−（３−メチルフェニル）−Ｎ’−サクシニルエチレンジアミン、Ｎ−（２−ヒドロキシ−３−スルホプロピル）−２，５−ジメチルアニリン、Ｎ−（２−ヒドロキシ−３−スルホプロピル）−３，５−ジメトキシアニリン（ＨＤＡＯＳ）、Ｎ−スルホプロピルアニリン、Ｎ−スルホプロピル−３，５−ジメトキシアニリン等が挙げられる。
【００５４】
（カップラー）
カップラーとしては、４−アミノアンチピリン（４ＡＡ）、アミノアンチピリン誘導体、バニリンジアミンスルホン酸、メチルベンズチアゾリノンヒドラゾン（ＭＢＴＨ）、スルホン化メチルベンズチアゾリノンヒドラゾン（ＳＭＢＴＨ）等が挙げられる。
【００５５】
（ロイコ体）
ロイコ体としては、トリフェニルメタン誘導体、フェノチアジン誘導体、ジフェニルアミン誘導体等が挙げられる。具体的には、４，４’−ベンジリデンビス（Ｎ，Ｎ−ジメチルアニリン）、４，４’−ビス［Ｎ−エチル−Ｎ−（３−スルホプロピルアミノ）−２，６−ジメチルフェニル］メタン、１−（エチルアミノチオカルボニル）−２−（３，５−ジメトキシ−４−ヒドロキシフェニル）−４，５−ビス（４−ジエチルアミノフェニル）イミダゾール、４，４’−ビス（ジメチルアミノ）ジフェニルアミン、Ｎ−（カルボキシメチルアミノカルボニル）−４，４’−ビス（ジメチルアミノ）ジフェニルアミン塩（ＤＡ６４）、１０−（カルボキシメチルアミノカルボニル）−３，７−ビス（ジメチルアミノ）フェノチアジン塩（ＤＡ６７）等が挙げられる。
【００５６】
これらの中でも、モル吸光係数、極大吸収波長等の理由から、ロイコ体が好ましく、Ｎ−（カルボキシメチルアミノカルボニル）−４，４’−ビス（ジメチルアミノ）ジフェニルアミン塩（ＤＡ６４）、１０−（カルボキシメチルアミノカルボニル）−３，７−ビス（ジメチルアミノ）フェノチアジン塩（ＤＡ６７）がより好ましい。
【００５７】
前記酸化還元系発色試薬の極大吸収波長は、６００〜８００ｎｍであることが好ましく、６５０〜７５０ｎｍがより好ましい。ヘモグロビンＡ１ｃ測定の観点から、極大吸収波長が６００ｎｍより低波長側であると、酸化還元系発色試薬の発色スペクトルとヘモグロビンのスペクトルとが重なるため、感度が低下する恐れがある。一方、極大吸収波長が８００ｎｍより高波長側であると、検出機器が大型化する恐れがある。
【００５８】
前記酸化還元系発色試薬の濃度は、特に限定されないが、０．０００１〜１０ｍｇ／ｃｍ２または０．００１〜１００ｍｇ／ｍＬであることが好ましく０．００１〜１ｍｇ／ｃｍ２または０．０１〜１０ｍｇ／ｍＬがより好ましい。酸化還元系発色試薬濃度が０．０００１ｍｇ／ｃｍ２または０．００１ｍｇ／ｍＬより少ないと、感度が低下する恐れがある。一方、酸化還元系発色試薬濃度が１０ｍｇ／ｃｍ２または１００ｍｇ／ｍＬより多いと、バッククラウンドの上昇や、高価格化の恐れがある。
【００５９】
（界面活性剤）
本発明に用いる界面活性剤としては、溶血剤および／またはプロテアーゼ反応促進剤として作用すれば、いかなる種類の界面活性剤を用いてもよいが、溶血剤およびプロテアーゼ反応促進剤として作用する界面活性剤が好ましい。
前記界面活性剤としては、ポリオキシエチレンアルキルフェニルエーテル（Ｔｒｉｔｏｎ（登録商標）系界面活性剤等）、ポリオキシエチレンアルキルエーテル（Ｂｒｉｊ（登録商標）系界面活性剤等）、ポリオキシエチレンソルビタン脂肪酸エステル（Ｔｗｅｅｎ（登録商標）系界面活性剤等）、ポリオキシエチレン脂肪酸エステル、ソルビタン脂肪酸エステル、アルキルグルコシド、ショ糖脂肪酸エステル等の非イオン性界面活性剤が挙げられる。これらの中でも、溶血剤としての反応性（溶血の速度）、プロテアーゼ反応促進剤としての作用性、価格等の理由からポリオキシエチレンアルキルフェニルエーテル（Ｔｒｉｔｏｎ（登録商標）系界面活性剤等）が好ましい。市販品としては、ＴｒｉｔｏｎＸ（登録商標）−１００（ナカライテスク社製）、ＴｒｉｔｏｎＸ（登録商標）−１１４（ナカライテスク社製）、Ｎｏｎｉｄｅｔ（登録商標）Ｐ−４０（ナカライテスク社製）等が好適に用いられる。また、前記界面活性剤は単独で用いても、二種以上を組み合わせて用いてもよい。
【００６０】
前記界面活性剤の親水親油バランス（Ｈｙｄｒｏｐｈｉｌｅ  Ｌｉｐｏｐｈｉｌｅ  Ｂａｌａｎｃｅ：ＨＬＢ）は、１０〜２０であることが好ましく、１２〜２０がより好ましく、１４〜２０がさらに好ましい。ＨＬＢ値が１０より小さいと、十分な溶血効果、およびプロテアーゼ反応促進効果が得られない恐れがある。一方、ＨＬＢ値が２０より大きい界面活性剤は、ＨＬＢの定義上存在しない。
【００６１】
前記界面活性剤の濃度は、特に限定されないが、０．０００１〜１０ｍｇ／ｃｍ２または０．００１〜１００ｍｇ／ｍＬであるとこが好ましく０．００１〜１ｍｇ／ｃｍ２または０．０１〜１０ｍｇ／ｍＬがより好ましい。界面活性剤濃度が０．０００１ｍｇ／ｃｍ２または０．００１ｍｇ／ｍＬより少ないと、十分な溶血効果、およびプロテアーゼ反応促進効果が得られない恐れがある。一方、界面活性剤濃度が１０ｍｇ／ｃｍ２または１００ｍｇ／ｍＬより多くしても、効果の向上は見られない。
【００６２】
（緩衝剤）
本発明に用いることができる緩衝剤としては、目的とするｐＨ範囲において充分な緩衝能力を有していれば、いかなる種類の緩衝剤を用いてもよく、例えば、トリス、リン酸、フタル酸、クエン酸、マレイン酸、コハク酸、シュウ酸、ホウ酸、酒石酸、酢酸、炭酸、グッドバッファー（ＭＥＳ、ＡＤＡ、ＰＩＰＥＳ、ＡＣＥＳ、コラミン塩酸、ＢＥＳ、ＴＥＳ、ＨＥＰＥＳ、アセトアミドグリシン、トリシン、グリシンアミド、ビシン）等が挙げられる。
【００６３】
これらの中でも、本発明に用いるプロテアーゼ、糖化アミノ酸オキシダーゼ、およびペルオキシダーゼの至適ｐＨ範囲である６．０〜８．５（好ましくは６．０〜７．５）において充分な緩衝能力を有する等の理由から、トリス、リン酸、ＭＥＳ、ＰＩＰＥＳ、ＴＥＳ、ＨＥＰＥＳが好ましく、ＭＥＳ、ＰＩＰＥＳがより好ましい。
【００６４】
前記緩衝剤の濃度は、特に限定されないが、５０〜１００ｍＭ程度が好ましい。
【００６５】
（その他試薬）
本発明では前記試薬（界面活性剤、プロテアーゼ、糖化アミノ酸オキシダーゼ、ペルオキシダーゼ、酸化還元系発色試薬等）の他、必要に応じてヘモグロビンの酸化剤（フェロシアン化物、アジ化物、亜硝酸塩、硝酸塩等）、酵素反応を妨害するイオンを捕捉するキレート試薬（エチレンジアミン、ビピリジン、エチレンジアミン四酢酸、フェナントロリン、ポルフィリン、クラウンエーテル等）、過酸化水素の定量の妨害物質であるアスコルビン酸を消去するアスコルビン酸オキシダーゼ、塩類（塩化ナトリウム、塩化カリウム、塩化カルシウム、塩化マグネシウム、塩化アルミニウム等）、酵素安定化剤（単糖類、オリゴ糖類、多糖類、糖アルコール、グリセロール、グルコン酸塩、アミノ酸類、アルブミン類、グロブリン類、繊維性タンパク質等）、酸化還元系発色試薬安定化剤（シクロデキストリン類、還元性チオアルコール類、還元性硫酸塩類等）を添加してもよい。これらは、単独で用いても、二種以上を組み合わせて用いてもよい。
【実施例】
【００６６】
以下に実施例を示して本発明を具体的に説明するが、本発明は実施例に限定されるものではない。なお、明細書中の評価法は以下の通りである。
［各種評価法］
【００６７】
＜１．プロテアーゼの活性測定＞
プロテアーゼの活性は、Ｆｏｌｉｎ−Ｃｉｏｃａｌｔｅｕ試薬を用いたカゼインフォリン法により算出した。ここで、プロテアーゼの至適ｐＨで、３７℃−１分あたり、カゼインを加水分解し、１．０μｍｏｌのチロシンに相当する呈色を生ずる酵素量を１Ｕと定義した。
【００６８】
＜２．糖化アミノ酸オキシダーゼの活性測定＞
糖化アミノ酸オキシダーゼの活性は、ペルオキシダーゼ存在下で、糖化バリルヒスチジンと糖化アミノ酸オキシダーゼとの反応で生成した過酸化水素と酸化還元系発色試薬を反応させ、その吸光度変化から算出した。ここで、糖化アミノ酸オキシダーゼの至適ｐＨ（ｐＨ＝６．５）で、３７℃−1分あたり、糖化バリルヒスチジンを加水分解し、１．０μｍｏｌの過酸化水素を生成する酵素量を１Ｕと定義した。
【００６９】
＜３．ペルオキシダーゼの活性測定＞
ペルオキシダーゼの活性は、ペルオキシダーゼ存在下で、過酸化水素とピロガロール（Ｐｙｒｏｇａｌｌｏｌ）とを反応させ、生成したプルプロガリン（Ｐｕｒｐｕｒｏｇａｌｌｉｎ）に由来する吸光度の変化から算出した。ここで、ペルオキシダーゼの至適ｐＨ（ｐＨ＝６．０）で、２０℃−２０秒あたり、１．０ｍｇのプルプロガリン（Ｐｕｒｐｕｒｏｇａｌｌｉｎ）に相当する呈色を生ずる酵素量を１Ｕと定義した。
【００７０】
＜４．親水親油バランス（Ｈｙｄｒｏｐｈｉｌｅ  Ｌｉｐｏｐｈｉｌｅ  Ｂａｌａｎｃｅ：ＨＬＢ）の測定＞
ＨＬＢ値は、グリフィン法を用い、ＨＬＢ値＝２０×（親水部の式量の総和／分子量）で算出した。なお、界面活性剤の混合物のＨＬＢ値は、各成分のＨＬＢ値の加重平均で表す。
【００７１】
＜５．プロテアーゼの反応性＞
（前処理液にプロテアーゼが含有されている場合）
１００ｇ／Ｌのヘモグロビン  ヒト  Ｈ７３７９（シグマ社製）水溶液  １０μＬと本発明の前処理液  ５０μＬとを混合し（体積比率＝１：５）、恒温水槽  ＴＭ−１（アズワン社製）にて３７℃−０、５、１０、１５、３０、６０分間インキュベートした。次いで、前記混合液  １２μＬと下記試薬１  １０００μＬとを混合した後、マイクロコン−３（ミリポア社製）にて１４０００Ｇで遠心濃縮し、分子量３０００以下の低分子量成分（界面活性剤、酸化還元系発色試薬等）を除去し、２００μＬの濃縮液を得た。次いで、前記濃縮液  ２５μＬと蒸留水２５μＬとＬａｅｍｍｌｉサンプルバッファー（バイオ・ラッド・ラボラトリーズ社製）４７．５μＬと２−メルカプトエタノール（バイオ・ラッド・ラボラトリーズ社製）２．５μＬとを混合し、９５℃−５分間ボイルすることで、サンプル溶液１〜６を得た。
【００７２】
（試験片にプロテアーゼが担持されている場合）
１００ｇ／Ｌのヘモグロビン  ヒト  Ｈ７３７９（シグマ社製）水溶液  １０μＬと本発明の前処理液  ５０μＬとを混合した（体積比率＝１：５）。次いで、前記混合液  １２μＬを本発明の試験片に点着し、プログラム低温恒温器  ＩＮ６０４（ヤマト科学社製）にて３７℃−０、５、１０、１５、３０、６０分間インキュベートした。次いで、マイクロチューブ内に前記試験片と下記試薬１  １０００μＬとを添加し、ボルテックスミキサー（エムエス機器社製）で１分間攪拌することで、試験片中の界面活性剤、プロテアーゼ、糖化アミノ酸オキシダーゼ、ペルオキシダーゼ、酸化還元系発色試薬を抽出した。次いで、前記抽出液をマイクロコン−３（ミリポア社製）にて１４０００Ｇで遠心濃縮し、分子量３０００以下の低分子量成分（界面活性剤、酸化還元系発色試薬等）を除去し、２００μＬの濃縮液を得た。次いで、前記濃縮液  ２５μＬと蒸留水２５μＬとＬａｅｍｍｌｉサンプルバッファー（バイオ・ラッド・ラボラトリーズ社製）４７．５μＬと２−メルカプトエタノール（バイオ・ラッド・ラボラトリーズ社製）２．５μＬとを混合し、９５℃−５分間ボイルすることで、サンプル溶液１〜６を得た。
＜試薬１＞
１００ｍＭ  ＰＩＰＥＳ（同仁化学研究所社製）  ｐＨ６．５
１００倍希釈  プロテアーゼ阻害剤カクテル  一般用、１００倍濃縮（ナカライテスク社製）
【００７３】
得られたサンプル溶液１〜６を、電気泳動ベストパッケージ  レディーゲル用（バイオ・ラッド・ラボラトリーズ社製）を用い、下記条件１でＳＤＳ−ＰＡＧＥを実施した。なお、サンプル溶液１〜６は、同一ゲルの別レーンに流した。
＜条件１＞
プレキャストゲル      ：  レディーゲルＪ  １０％Ｔ、１２ｗｅｌｌ
電気泳動システム      ：  ミニプロティアンＴｅｔｒａセル
パワーサプライ        ：  パワーパックＢａｓｉｃ
スタンダード          ：  プレシジョンＰｌｕｓデュアルスタンダード
泳動バッファー        ：  プレミックスバッファー  トリス／グリシン／ＳＤＳ
スタンダード量        ：  １０μＬ
泳動試料量            ：  ２０μＬ
泳動条件              ：  １００Ｖ定電圧−９０分
温度                  ：  ２５℃
【００７４】
次いで、タイトボックス  ＮＯ．３（アズワン社製）に泳動後のゲルと、蒸留水  ２００ｍＬとを添加し、ロッキングミキサー  ＲＭ−８０（アズワン社製）で５分間振とう後、蒸留水を除去するという洗浄作業を３回行なった。次いで、染色液  Ｂｉｏ−Ｓａｆｅ  ＣＢＢ  Ｇ−２５０ステイン（バイオ・ラッド・ラボラトリーズ社製）５０ｍＬを添加し、前記ロッキングミキサーで１時間振とう後、前記染色液を除去した。最後に、蒸留水  ２００ｍＬを添加し、前記ロッキングミキサーで１時間振とう後、蒸留水を除去することで、泳動像が得られた。
【００７５】
得られた泳動像中の１６ｋＤａ付近のヘモグロビン  サブユニット由来のバンド太さ（泳動方向のバンド寸法）および濃さ（バンドの吸光度）を、ＧＳ−８００  Ｃａｌｉｂｒａｔｅｄ  Ｄｅｎｓｉｔｏｍｅｔｅｒ（バイオ・ラッド・ラボラトリーズ社製）で通法に従い測定した。得られた３７℃−０〜６０分インキュベート後のバンド太さから下式（１）のバンド消失率１を、３７℃−０〜６０分インキュベート後のバンド濃さから下式（２）のバンド消失率２をそれぞれ算出し、バンド消失率１およびバンド消失率２が９０％以上となる時間（以下、バンド消失時間ともいうことがある。）が、０分＜バンド消失時間≦５分を◎（Ｅｘｃｅｌｌｅｎｔ）、５分＜バンド消失時間≦１０分を○（Ｇｏｏｄ）、１０分＜バンド消失時間≦１５分を△（Ｎｏｔ  Ｂａｄ）、１５分＜バンド消失時間を×（Ｂａｄ）として、プロテアーゼの反応性を評価した。
［数１］
バンド消失率１（％）
＝｛１−（バンド太さ（０〜６０分）／バンド太さ（０分））｝×１００  式（１）
［数２］
バンド消失率２（％）
＝｛１−（バンド濃さ（０〜６０分）／バンド濃さ（０分））｝×１００  式（２）
【００７６】
＜６．糖化アミノ酸オキシダーゼの保存安定性＞
（前処理液に糖化アミノ酸オキシダーゼが含有されている場合）
下記ブランク試薬を、加速試験として、恒温水槽  ＴＭ−１（アズワン社製）にて３７℃−５時間インキュベートした。次いで、前記ブランク試薬  １０μＬと前記試薬１  １０００μＬとを混合した後、マイクロコン−３（ミリポア社製）にて１４０００Ｇで遠心濃縮し、２００μＬの濃縮液を得た。次いで、前記濃縮液  ５０μＬとＬａｅｍｍｌｉサンプルバッファー（バイオ・ラッド・ラボラトリーズ社製）４７．５μＬと２−メルカプトエタノール（バイオ・ラッド・ラボラトリーズ社製）２．５μＬとを混合し、９５℃−５分間ボイルすることで、ブランク溶液を得た。
＜ブランク試薬＞
１００ｍＭ  ＰＩＰＥＳ（同仁化学研究所社製）  ｐＨ６．５
５００Ｕ／ｍＬ  糖化アミノ酸オキシダーゼ  ＦＰＯ−３０１（東洋紡績社製）
【００７７】
他方、本発明の前処理液を、加速試験として、恒温水槽  ＴＭ−１（アズワン社製）にて３７℃−５時間インキュベートした。次いで、前記前処理液  １０μＬと前記試薬１  １０００μＬとを混合した後、マイクロコン−３（ミリポア社製）にて１４０００Ｇで遠心濃縮し、分子量３０００以下の低分子量成分（界面活性剤、酸化還元系発色試薬等）を除去し、２００μＬの濃縮液を得た。次いで、前記濃縮液  ５０μＬとＬａｅｍｍｌｉサンプルバッファー（バイオ・ラッド・ラボラトリーズ社製）４７．５μＬと２−メルカプトエタノール（バイオ・ラッド・ラボラトリーズ社製）２．５μＬとを混合し、９５℃−５分間ボイルすることで、サンプル溶液を得た。
【００７８】
（試験片に糖化アミノ酸オキシダーゼが担持されている場合）
８ｍｍφの桐山ろ紙  ＮＯ．５Ａ（東京硝子器械社製）に、前記ブランク試薬を１０μＬ滴下し、遮光デシケーター  ３９０９−０４（東京硝子器械社製）にて２５℃−２時間乾燥させ、ブランク試験片を作製した。次いで、ブランク試験片を、加速試験として、プログラム低温恒温器  ＩＮ６０４（ヤマト科学社製）にて３７℃−５時間インキュベートした。次いで、マイクロチューブ内に前記ブランク試験片と前記試薬１  １０００μＬとを添加し、ボルテックスミキサー（エムエス機器社製）で１分間攪拌することで、ブランク試験片中の糖化アミノ酸オキシダーゼを抽出した。次いで、前記抽出液をマイクロコン−３（ミリポア社製）にて１４０００Ｇで遠心濃縮し、２００μＬの濃縮液を得た。次いで、前記濃縮液  ５０μＬとＬａｅｍｍｌｉサンプルバッファー（バイオ・ラッド・ラボラトリーズ社製）４７．５μＬと２−メルカプトエタノール（バイオ・ラッド・ラボラトリーズ社製）２．５μＬとを混合し、９５℃−５分間ボイルすることで、ブランク溶液を得た。
【００７９】
他方、本発明の試験片を、加速試験として、プログラム低温恒温器  ＩＮ６０４（ヤマト科学社製）にて３７℃−５時間インキュベートした。次いで、マイクロチューブ内に前記試験片と前記試薬１  １０００μＬとを添加し、ボルテックスミキサー（エムエス機器社製）で１分間攪拌することで、試験片中の界面活性剤、プロテアーゼ、糖化アミノ酸オキシダーゼ、ペルオキシダーゼ、酸化還元系発色試薬を抽出した。次いで、前記抽出液をマイクロコン−３（ミリポア社製）にて１４０００Ｇで遠心濃縮し、分子量３０００以下の低分子量成分（界面活性剤、酸化還元系発色試薬等）を除去し、２００μＬの濃縮液を得た。次いで、前記濃縮液  ５０μＬとＬａｅｍｍｌｉサンプルバッファー（バイオ・ラッド・ラボラトリーズ社製）４７．５μＬと２−メルカプトエタノール（バイオ・ラッド・ラボラトリーズ社製）２．５μＬとを混合し、９５℃−５分間ボイルすることで、サンプル溶液を得た。
【００８０】
得られたブランク溶液、およびサンプル溶液を、電気泳動ベストパッケージ  レディーゲル用（バイオ・ラッド・ラボラトリーズ社製）を用い、前記条件１でＳＤＳ−ＰＡＧＥを実施した。なお、ブランク溶液、およびサンプル溶液は、同一ゲルの別レーンに流した。
【００８１】
次いで、タイトボックス  ＮＯ．３（アズワン社製）に泳動後のゲルと、蒸留水  ２００ｍＬとを添加し、ロッキングミキサー  ＲＭ−８０（アズワン社製）で５分間振とう後、蒸留水を除去するという洗浄作業を３回行なった。次いで、染色液  Ｂｉｏ−Ｓａｆｅ  ＣＢＢ  Ｇ−２５０ステイン（バイオ・ラッド・ラボラトリーズ社製）５０ｍＬを添加し、前記ロッキングミキサーで１時間振とう後、前記染色液を除去した。最後に、蒸留水  ２００ｍＬを添加し、前記ロッキングミキサーで１時間振とう後、蒸留水を除去することで、泳動像が得られた。
【００８２】
得られた泳動像中の５０ｋＤａ付近の糖化アミノ酸オキシダーゼ由来のバンド太さ（泳動方向のバンドの寸法）および濃さ（バンドの吸光度）を、ＧＳ−８００  Ｃａｌｉｂｒａｔｅｄ  Ｄｅｎｓｉｔｏｍｅｔｅｒ（バイオ・ラッド・ラボラトリーズ社製）で通法に従い測定した。得られたブランクおよびサンプルのバンド太さから下式（３）のバンド保持率１を、ブランクおよびサンプルのバンド濃さから下式（４）のバンド保持率２をそれぞれ算出し、バンド保持率１およびバンド保持率２≧９０％を◎（Ｅｘｃｅｌｌｅｎｔ）、バンド保持率１およびバンド保持率２＜９０％を×（Ｂａｄ）として、糖化アミノ酸オキシダーゼの保存安定性（つまり、耐分解性）を評価した。
［数３］
バンド保持率１（％）＝（サンプルバンド太さ／ブランクバンド太さ）×１００  式（３）
［数４］
バンド保持率２（％）＝（サンプルバンド濃さ／ブランクバンド濃さ）×１００  式（４）
【００８３】
＜７．酸化還元系発色試薬の感度、相関性＞
１００ｇ／Ｌのヘモグロビン  ヒト  Ｈ７３７９（シグマ社製）水溶液に、合成したフルクトシルバリルヒスチジン（以下、Ｆ−ＶＨともいうことがある。）を、０、５０、１００、２５０、５００μＭとなるよう溶解させ、５水準の測定試料を調整した。次いで、前記測定試料  １０μＬと本発明の前処理液  ５０μＬとを混合した（体積比率＝１：５）。他方、本発明の試験片を、治具（図１参照）で上下から挟んで固定し、前記混合液  １０μＬを点着し、室温−１分間インキュベート後、測定試料点着面とは反対面の反射率を、下記条件２で測定した。
＜条件２＞
測定試料：ヘモグロビン  ヒト  Ｈ７３７９  １００ｇ／Ｌ
Ｆ−ＶＨ  ０、５０、１００、２５０、５００μＭ
装置名：分光光度計  ＵＶ−２４５０（島津製作所社製）
付属装置名：積分球  ＩＳＲ−２２００（島津製作所社製）
標準白板：硫酸バリウム標準白板
測定波長：６６６ｎｍ（ＤＡ６７）、７２７ｎｍ（ＤＡ６４）、５５５ｎｍ（ＴＯＯＳ）、６３０ｎｍ（ＭＡＯＳ）
入射角：０°
スリット幅：２．０ｎｍ
光束寸法：３ｍｍ×５ｍｍ
温度：２５℃
【００８４】
得られたＦ−ＶＨ  ０〜５００μＭでの反射率から、下式（５）のＫｕｂｅｌｋａ−Ｍｕｎｋ変換により、Ｆ−ＶＨ  ０〜５００μＭでのＫ／Ｓ値を得た。得られたＦ−ＶＨ  ０μＭでのＫ／Ｓ値と、Ｆ−ＶＨ  ５００μＭでのＫ／Ｓ値から、下式（６）のＫ／Ｓ変動率を算出し、Ｋ／Ｓ変動率≧１．５を◎（Ｅｘｃｅｌｌｅｎｔ）、Ｋ／Ｓ変動率＜１．５を×（Ｂａｄ）として、酸化還元系発色試薬の感度を評価した。なお、式（５）中の％Ｒは反射率を意味し、式（６）中のＫ／Ｓ値（０μＭ）はＦ−ＶＨ  ０μＭでのＫ／Ｓ値を、Ｋ／Ｓ値（５００μＭ）はＦ−ＶＨ  ５００μＭでのＫ／Ｓ値をそれぞれ意味する。
［数５］
Ｋ／Ｓ値＝（１−％Ｒ）２／（２×％Ｒ）  式（５）
［数６］
Ｋ／Ｓ変動率＝Ｋ／Ｓ値（５００μＭ）  ／  Ｋ／Ｓ値（０μＭ）  式（６）
【００８５】
また、得られたＫ／Ｓ値とＦ−ＶＨ濃度とのピアソン相関係数：ｒを算出し、ｒ＞０．９５を◎（Ｅｘｃｅｌｌｅｎｔ）、０．９５≦ｒ＜０．９０を○（Ｇｏｏｄ）、０．９０≦ｒ＜０．８５を△（Ｎｏｔ  Ｂａｄ）、ｒ≦０．８５を×（Ｂａｄ）として、相関性を評価した。
【００８６】
＜８．ヘモグロビンＡ１ｃ値検量線の作成＞
ＨｂＡ１ｃ測定性能評価用試料  ＱＲＭ  ＨｂＡ１ｃ  ２００７−１（一般社団法人  検査医学標準物質機構社製）と本発明の前処理液とを体積比率１：１、１：２、１：５、１：１０、１：１５、１：２０、１：５０にて混合し、恒温水槽  ＴＭ−１（アズワン社製）にて３７℃−５分間インキュベートした。他方、本発明の試験片を、治具（図１参照）で上下から挟んで固定し、前記混合液  １０μＬを点着し、プログラム低温恒温器  ＩＮ６０４（ヤマト科学社製）にて３７℃−５分間インキュベート後、測定試料点着面とは反対面の反射率を、下記条件３で測定した。
＜条件３＞
測定試料：ＨｂＡ１ｃ測定性能評価用試料  ＱＲＭ
ＬＥＶＥＬ１、２、３、４、５
装置名：分光光度計  ＵＶ−２４５０（島津製作所社製）
付属装置名：積分球  ＩＳＲ−２２００（島津製作所社製）
標準白板：硫酸バリウム標準白板
測定波長：４８０ｎｍ、６６６ｎｍ
入射角：０°
スリット幅：２．０ｎｍ
光束寸法：３ｍｍ×５ｍｍ
温度：２５℃
【００８７】
得られた４８０ｎｍでの反射率、および６６６ｎｍでの反射率から、上式（５）のＫｕｂｅｌｋａ−Ｍｕｎｋ変換により４８０ｎｍでのＫ／Ｓ値、および６６６ｎｍでのＫ／Ｓ値を得た。次いで、得られた４８０ｎｍでのＫ／Ｓ値と、６６６ｎｍでのＫ／Ｓ値から、下式（７）のＫ／Ｓ比を算出した。なお、Ｋ／Ｓ比とヘモグロビンＡ１ｃ値が比例することは公知である。（非特許文献１参照）また、式中のＫ／Ｓ値（４８０ｎｍ）は４８０ｎｍでのＫ／Ｓ値を、Ｋ／Ｓ値（６６６ｎｍ）は６６６ｎｍでのＫ／Ｓ値をそれぞれ意味する。
［数７］
Ｋ／Ｓ比＝Ｋ／Ｓ値（６６６ｎｍ）  ／  Ｋ／Ｓ値（４８０ｎｍ）  式（７）
【００８８】
得られたＫ／Ｓ比と、ＨｂＡ１ｃ測定性能評価用試料  ＱＲＭで規定されているＨｂＡ１ｃ値（ＬＥＶＥＬ１＝４．６７％、ＬＥＶＥＬ２＝５．２９％、ＬＥＶＥＬ３＝６．９６％、ＬＥＶＥＬ４＝９．０８％、ＬＥＶＥＬ５＝１０．７９％）とのピアソン相関係数：ｒを算出し、ｒ＞０．９５を◎（Ｅｘｃｅｌｌｅｎｔ）、０．９５≦ｒ＜０．９０を○（Ｇｏｏｄ）、０．９０≦ｒ＜０．８５を△（Ｎｏｔ  Ｂａｄ）、ｒ≦０．８５を×（Ｂａｄ）として、相関性を評価した。
【００８９】
＜９．ヘモグロビンＡ１ｃ値の測定＞
健常者全血、または糖尿病患者全血と本発明の前処理液とを体積比率１：１、１：２、１：５、１：１０、１：１５、１：２０、１：５０にて混合し、恒温水槽  ＴＭ−１（アズワン社製）にて３７℃−５分間インキュベートした。他方、本発明の試験片を、治具（図１参照）で上下から挟んで固定し、前記混合液  １０μＬを点着し、プログラム低温恒温器  ＩＮ６０４（ヤマト科学社製）にて３７℃−５分間インキュベート後、測定試料点着面とは反対面の反射率を、下記条件４で測定した。なお、健常者血液、および糖尿病患者血液は、市販の自動分析機：日立自動分析機  ７１８０（日立ハイテク社製）、市販のヘモグロビンＡ１ｃ測定試薬：ノルディアＮ  ＨｂＡ１ｃ（積水メディカル社製）を用いて、通法に従い測定を実施し、ヘモグロビンＡ１ｃ値を算出した。
＜条件４＞
測定試料：健常者血液  ５水準、糖尿病患者血液  ５水準
装置名：分光光度計  ＵＶ−２４５０（島津製作所社製）
付属装置名：積分球  ＩＳＲ−２２００（島津製作所社製）
標準白板：硫酸バリウム標準白板
測定波長：４８０ｎｍ、６６６ｎｍ
入射角：０°
スリット幅：２．０ｎｍ
光束寸法：３ｍｍ×５ｍｍ
温度：２５℃
【００９０】
得られた４８０ｎｍでの反射率、および６６６ｎｍでの反射率から、上式（５）のＫｕｂｅｌｋａ−Ｍｕｎｋ変換により４８０ｎｍでのＫ／Ｓ値、および６６６ｎｍでのＫ／Ｓ値を得た。次いで、得られた４８０ｎｍでのＫ／Ｓ値と、６６６ｎｍでのＫ／Ｓ値から、上式（７）のＫ／Ｓ比を算出した。得られたＫ／Ｓ比と、前項で得られた検量線から、ヘモグロビンＡ１ｃ値を算出した。得られたヘモグロビンＡ１ｃ値のｎ＝１０でのＣＶを算出し、０％≦ＣＶ＜１％を◎（Ｅｘｃｅｌｌｅｎｔ）、１％≦ＣＶ＜３％を○（Ｇｏｏｄ）、３％≦ＣＶ＜５％を△（Ｎｏｔ  Ｂａｄ）、５％≦ＣＶを×（Ｂａｄ）として、ばらつきを評価した。
［試験片の作成］
［実施例１］ 
【００９１】
前処理液として下記前処理液１を作製した。他方、８ｍｍφの桐山ろ紙  ＮＯ．５Ａ（東京硝子器械社製）に、下記試薬２を１０μＬ滴下し、遮光デシケーター  ３９０９−０４（東京硝子器械社製）にて２５℃−２時間乾燥させ、試験片を作製した。以下、特記がない限り、前処理液に含有された界面活性剤濃度は５．０ｍｇ／ｍＬ、プロテアーゼ濃度は５０Ｕ／ｍＬ、糖化アミノ酸オキシダーゼ濃度は５０Ｕ／ｍＬ、ペルオキシダーゼ濃度は２００Ｕ／ｍＬ、酸化還元系発色試薬濃度は０．５ｍｇ／ｍＬであり、試験片に担持された界面活性剤濃度は０．１ｍｇ／ｃｍ２、プロテアーゼ濃度は１０Ｕ／ｃｍ２、糖化アミノ酸オキシダーゼ濃度は１０Ｕ／ｃｍ２、ペルオキシダーゼ濃度は４０Ｕ／ｃｍ２、酸化還元系発色試薬濃度は０．１ｍｇ／ｃｍ２であるとする。
得られた前処理液および試験片の詳細を表１に示す。なお、表中のＮＰ４０はＮｏｎｉｄｅｔ（登録商標）Ｐ−４０が、ＮＥＰはトヨチームＮＥＰが、ＦＰＯは糖化アミノ酸オキシダーゼ  ＦＰＯ−３０１が、ＰＥＯはペルオキシダーゼ  ＰＥＯ−３０２が、ＤＡ６７はＤＡ６７がそれぞれ各層に担持されていること意味する。以下、同様である。
＜前処理液１＞
１００ｍＭ  ＰＩＰＥＳ（同仁化学研究所社製）  ｐＨ６．５
５．０ｍｇ／ｍＬ  Ｎｏｎｉｄｅｔ（登録商標）Ｐ−４０（ナカライテスク社製）
５０Ｕ／ｍＬ  トヨチームＮＥＰ（東洋紡績社製）
＜試薬２＞
１００ｍＭ  ＰＩＰＥＳ（同仁化学研究所社製）  ｐＨ６．５
５．０ｍｇ／ｍＬ  Ｎｏｎｉｄｅｔ（登録商標）Ｐ−４０（ナカライテスク社製）
５００Ｕ／ｍＬ  糖化アミノ酸オキシダーゼ  ＦＰＯ−３０１（東洋紡績社製）
２０００Ｕ／ｍＬ  ペルオキシダーゼ  ＰＥＯ−３０２（東洋紡績社製）
５．０ｍｇ／ｍＬ  ＤＡ６７（和光純薬工業社製）
［実施例２〜４］
【００９２】
界面活性剤、プロテアーゼ、糖化アミノ酸オキシダーゼ、ペルオキシダーゼ、酸化還元系発色試薬が含有または担持される箇所が異なる以外は、実施例１と同様にして、前処理液および試験片を作製した。
得られた前処理液および試験片の詳細を表１に示す。
【００９３】
【表１】
2013108872.tif 000002
［比較例１〜７］
【００９４】
界面活性剤、プロテアーゼ、糖化アミノ酸オキシダーゼ、ペルオキシダーゼ、酸化還元系発色試薬が含有また担持される箇所が異なる以外は、実施例１と同様にして、前処理液および試験片を作製した。
得られた前処理液および試験片の詳細を表２に示す。
【００９５】
【表２】
2013108872.tif 000003
【００９６】
＜プロテアーゼの反応性＞
実施例１〜４、比較例１〜７の前処理液および試験片を用い、プロテアーゼの反応性を評価した。
得られた評価結果を表３、４に示す。
【００９７】
【表３】
2013108872.tif 000004
【００９８】
【表４】
2013108872.tif 000005
【００９９】
プロテアーゼ反応性の評価結果より、プロテアーゼを試験片に担持させた場合はプロテアーゼ反応が不十分となる。以上の結果より、プロテアーゼは前処理液に含有させることが必要である。
【０１００】
＜糖化アミノ酸オキシダーゼの保存安定性＞
実施例１〜４、比較例１〜７の前処理液および試験片を用い、糖化アミノ酸オキシダーゼの保存安定性を評価した。
得られた評価結果を表５、６に示す。
【０１０１】
【表５】
2013108872.tif 000006
【０１０２】
【表６】
2013108872.tif 000007
【０１０３】
糖化アミノ酸オキシダーゼの保存安定性の評価結果より、プロテアーゼと糖化アミノ酸オキシダーゼを前処理液に含有させると、プロテアーゼによる糖化アミノ酸オキシダーゼの失活・分解が生じ、保存安定性は著しく低下した。他方、プロテアーゼと糖化アミノ酸オキシダーゼを試験片に含有させても、同様に、プロテアーゼによる糖化アミノ酸オキシダーゼの失活・分解が生じ、保存安定性は著しく低下した。なお、糖化アミノ酸オキシダーゼの失活・分解により、測定不能となる恐れがある。
以上の結果より、プロテアーゼと糖化アミノ酸オキシダーゼがそれぞれ異なる前処理液または試験片に含有または担持されることが必要である。
［実施例５〜８］
【０１０４】
プロテアーゼをトヨチームＮＥＰ（東洋紡績社製）の代わりに、Ｔｙｐｅ−ＸＩＶ（シグマ社製）、Ｔｙｐｅ−Ｘ（シグマ社製）、プロテイナーゼＫ（ロシュ社製）、Ｔｙｐｅ−ＸＩＩＩ（シグマ社製）とする以外は、実施例１と同様にして、前処理液および試験片を作製した。
得られた前処理液および試験片の詳細を表７に示す。なお、表中のＸＩＶはＴｙｐｅ−ＸＩＶが、ＸはＴｙｐｅ−Ｘが、ＫはプロテイナーゼＫが、ＸＩＩＩはＴｙｐｅ−ＸＩＩＩがそれぞれ各層に担持されていること意味する。
［比較例８］
【０１０５】
プロテアーゼをＴｙｐｅ−ＸＩＶ（シグマ社製）の代わりに、Ｔｙｐｅ−Ｉ（シグマ社製）とする以外は、実施例１と同様にして、前処理液および試験片を作製した。
得られた前処理液および試験片の詳細を表７に示す。なお、表中のＩはＴｙｐｅ−Ｉが各層に担持されていること意味する。
【０１０６】
【表７】
2013108872.tif 000008
【０１０７】
＜プロテアーゼの反応性＞
実施例１、５〜８、比較例８の前処理液および試験片を用い、プロテアーゼの反応性を評価した。
得られた評価結果を表８に示す。
【０１０８】
【表８】
2013108872.tif 000009
【０１０９】
プロテアーゼ反応性の評価結果より、プロテアーゼとしては、バチルス（Ｂａｃｉｌｌｕｓ）由来プロテアーゼ、アスペルギルス（Ａｓｐｅｒｇｉｌｌｕｓ）由来プロテアーゼ、ストレプトマイセス（Ｓｔｒｅｐｔｏｍｙｃｅｓ）由来プロテアーゼ、およびトリチラチウム（Ｔｒｉｔｉｒａｃｈｉｕｍ）由来プロテアーゼからなる群より選ばれた１種以上であることが好ましい。
［実施例９］
【０１１０】
酸化還元系発色試薬をＤＡ６７（和光純薬工業社製）：λｍａｘ＝６６６ｎｍの代わりに、ＤＡ６４（和光純薬工業社製）：λｍａｘ＝７２７ｎｍとする以外は、実施例１と同様にして、前処理液および試験片を作製した。
得られた前処理液および試験片の詳細を表９に示す。なお、表中のＤＡ６４はＤＡ６４が各層に担持されていること意味する。
［比較例９、１０］
【０１１１】
酸化還元系発色試薬をＤＡ６７（和光純薬工業社製）：λｍａｘ＝６６６ｎｍの代わりに、４ＡＡ（ナカライテスク社製）とＴＯＯＳ（同仁化学研究所社製）：λｍａｘ＝５５５ｎｍ、４ＡＡ（ナカライテスク社製）とＭＡＯＳ（同仁化学研究所社製）：λｍａｘ＝６３０ｎｍとする以外は、実施例１と同様にして、前処理液および試験片を作製した。なお、担持された４ＡＡ濃度は０．０６ｍｇ／ｃｍ２、ＴＯＯＳ濃度は０．０９ｍｇ／ｃｍ２、ＭＡＯＳ濃度は０．０９ｍｇ／ｃｍ２である。
得られた前処理液および試験片の詳細を表９に示す。なお、表中の４ＡＡは４−アミノアンチピリンが、ＴＯＯＳはＴＯＯＳが、ＭＡＯＳはＭＡＯＳがそれぞれ各層に担持されていること意味する。
【０１１２】
【表９】
2013108872.tif 000010
【０１１３】
＜酸化還元系発色試薬の感度、相関性＞
実施例１、９、比較例９、１０の前処理液および試験片を用い、酸化還元系発色試薬の感度、相関性を評価した。
得られた評価結果を表１０に示す。
【０１１４】
【表１０】
2013108872.tif 000011
【０１１５】
酸化還元系発色試薬の感度、相関性の評価結果より、酸化還元系発色試薬としては、モル吸光係数が高く、かつヘモグロビン由来のスペクトルの影響を受けにくい６５０〜８００ｎｍに極大吸収波長を持つロイコ型色素が好ましい。
［実施例１０〜１２］
【０１１６】
界面活性剤をＮｏｎｉｄｅｔ（登録商標）Ｐ−４０（ナカライテスク社製）：ＨＬＢ値＝１７．６の代わりに、Ｔｒｉｔｏｎ（登録商標）Ｘ−１００（ナカライテスク社製）：ＨＬＢ値＝１３．５、Ｔｗｅｅｎ（登録商標）２０（和光純薬工業社製）：ＨＬＢ値＝１６．７、Ｂｒｉｊ（登録商標）３５（和光純薬工業社製）：ＨＬＢ値＝１６．９とする以外は、実施例１と同様にして、前処理液および試験片を作製した。
得られた前処理液および試験片の詳細を表１１に示す。なお、表中のＴＸ１００はＴｒｉｔｏｎ（登録商標）Ｘ−１００が、Ｔｗ２０はＴｗｅｅｎ（登録商標）２０が、Ｂｒ３５はＢｒｉｊ（登録商標）３５がそれぞれ各層に担持されていること意味する。
［比較例１１、１２］
【０１１７】
界面活性剤をＮｏｎｉｄｅｔ（登録商標）Ｐ−４０（ナカライテスク社製）：ＨＬＢ値＝１７．６の代わりに、ＤＫエステル（登録商標）Ｆ５０（第一工業製薬社製）：ＨＬＢ値＝６．０、ＤＫエステル（登録商標）Ｆ７０（第一工業製薬社製）：ＨＬＢ値＝８．０とする以外は、実施例１と同様にして、前処理液および試験片を作製した。
得られた前処理液および試験片の詳細を表１１に示す。なお、表中のＦ５０はＤＫエステル（登録商標）Ｆ５０（第一工業製薬社製）が、Ｆ７０はＤＫエステル（登録商標）Ｆ７０がそれぞれ各層に担持されていること意味する。
【０１１８】
【表１１】
2013108872.tif 000012
【０１１９】
＜プロテアーゼの反応性＞
実施例１、１０〜１２、比較例１１、１２の前処理液および試験片を用い、プロテアーゼの反応性を評価した。
得られた評価結果を表１２に示す。
【０１２０】
【表１２】
2013108872.tif 000013
【０１２１】
プロテアーゼ反応性の評価結果より、界面活性剤としては、プロテアーゼ反応促進効果に優れる、ＨＬＢ値が１０〜２０の非イオン性界面活性剤が好ましい。
［実施例１３〜１６］
【０１２２】
前処理液中のプロテアーゼ濃度が５０Ｕ／ｍＬの代わりに、２５０Ｕ／ｍＬ、１２５Ｕ／ｍＬ、２５Ｕ／ｍＬ、１６．７Ｕ／ｍＬとする以外は、実施例１と同様にして、前処理液および試験片を作製した。
［比較例１３、１４］ 
【０１２３】
前処理液中のプロテアーゼ濃度が５０Ｕ／ｍＬの代わりに、１２．５Ｕ／ｍＬ、５Ｕ／ｍＬとする以外は、実施例１と同様にして、前処理液および試験片を作製した。
【０１２４】
＜ヘモグロビンＡ１ｃ値検量線の作成＞
実施例１、１３〜１６、比較例１、１３、１４の前処理液および試験片を用い、ＨｂＡ１ｃ値の検量線を作成し、相関性を評価した。
得られた評価結果を表１３に示す。
【０１２５】
【表１３】
2013108872.tif 000014
【０１２６】
＜ヘモグロビンＡ１ｃ値の測定＞
実施例１、１３〜１６、比較例１、１３、１４の前処理液および試験片を用い、前項で得られたＨｂＡ１ｃ値の検量線を用い、ＨｂＡ１ｃ値を算出した。
得られた評価結果を表１４に示す。
【０１２７】
【表１４】
2013108872.tif 000015
【０１２８】
以上の結果より、本発明の前処理液および試験片を用い、かつ測定試料を前記試験片に点着させる前に、測定試料と前記前処理液とを体積比率１：１〜１：１５で混合させることで測定したヘモグロビンＡ１ｃ値は、生化学自動分析装置を用いて測定したヘモグロビンＡ１ｃ値とよく一致した。なおかつ、本発明の前処理液および試験は、生化学自動分析装置を用いた方法と同等の再現性、正確性を有し、かつ保存安定性に優れていることから、本発明の前処理液および試験片を用いることで、正確、簡便かつ迅速に測定試料中の糖化ヘモグロビン量を比色定量することができる。
【産業上の利用可能性】
【０１２９】
本発明の測定方法、および測定キットを用いることにより、診断の現場で正確、簡便かつ迅速に測定試料中の糖化ヘモグロビン量を比色定量することができ、さらには生化学自動分析装置を用いた方法と同等の再現性、正確性を有し、かつ保存安定性にも優れることから、予防医学に基づく臨床検査分野、診断医療分野、製薬分野および保健医学分野をはじめ、生命科学分野の産業界に大きく寄与することが期待される。 
【図１】
2013108872.tif 000016